(57)【要約】【課題】コンピュータによる検索が容易でありかつ記載内容の一部分を差し換えまたは追加する際の手間が従来よりも少ない出版物を提供する。【解決手段】複数枚の紙片ＰＢからなる出版物ＢＫの背表紙ＢＫａにメインＩＣタグ４１を付しておき、各紙片ＰＢにサブＩＣタグ４２を付しておき、メインＩＣタグ４１には出版物ＢＫの書誌に関する書誌情報を記憶させておき、サブＩＣタグ４２にはその紙片ＰＢの記載内容に関する記載内容情報を記憶させておく。【選択図】図２
2005132576.tif 000002
【特許請求の範囲】
【請求項１】
複数枚の紙片からなる出版物であって、
当該出版物の書誌に関する書誌情報を記憶する第一のＩＣタグと、
当該出版物の所定のまとまりごとに与えられた、当該所定のまとまりの記載内容に関する記載内容情報を記憶する第二のＩＣタグと、
が付されてなることを特徴とする出版物。
【請求項２】
請求項１に記載の出版物の検索を行う検索システムであって、
検索条件を入力する入力手段と、
前記出版物が前記検索条件を満たすか否かの判別を行う判別手段と、
前記検索条件を満たすと判別された前記出版物の前記第一のＩＣタグに記憶されている前記書誌情報または当該出版物の前記第二のＩＣタグに記憶されている前記記載内容情報を取得する出版物情報取得手段と、
取得された前記書誌情報または前記記載内容情報の一部または全部を出力する出力手段と、
を有することを特徴とする検索システム。
【請求項３】
請求項１に記載の出版物の検索を行う検索システムであって、
前記出版物を収納する収納スペースおよび端末装置によって構成され、
前記収納スペースには、
前記端末装置から発信された情報を前記出版物の前記第一のＩＣタグまたは前記第二のＩＣタグに中継する処理と、前記出版物の前記第一のＩＣタグまたは前記第二のＩＣタグから発信された情報を前記端末装置に中継する処理と、を行う中継手段が設けられ、
前記端末装置には、
検索条件を入力する入力手段と、
入力された前記検索条件を前記中継手段に対して発信する検索条件発信手段と、
発信された前記検索条件を満たす前記出版物の前記第一のＩＣタグに記憶されている前記書誌情報または当該出版物の前記第二のＩＣタグに記憶されている前記記載内容情報を取得する出版物情報取得手段と、
取得された前記書誌情報または前記記載内容情報の一部または全部を出力する出力手段と、が設けられ、
ていることを特徴とする検索システム。
【請求項４】
請求項１に記載の出版物の検索を行う検索システムであって、
前記出版物の前記第一のＩＣタグに記憶されている前記書誌情報および当該出版物の前記第二のＩＣタグに記憶されている前記記載内容情報を取得する出版物情報取得手段と、
取得された前記書誌情報および前記記載内容情報を記憶しておく記憶手段と、
検索条件を入力する入力手段と、
前記検索条件を満たす前記出版物を、前記記憶手段に記憶されている前記書誌情報または前記記載内容情報に基づいて検索する検索手段と、
前記検索手段によって見つけられた前記出版物の前記書誌情報または前記記載内容情報の一部または全部を出力する出力手段と、
を有することを特徴とする検索システム。
【請求項５】
請求項１に記載の出版物の検索を行うコンピュータに用いられるコンピュータプログラムであって、
検索条件を入力する処理と、
前記出版物が前記検索条件を満たすか否かの判別を行う処理と、
前記検索条件を満たすと判別された前記出版物の前記第一のＩＣタグに記憶されている前記書誌情報または当該出版物の前記第二のＩＣタグに記憶されている前記記載内容情報を取得する処理と、
取得された前記書誌情報または前記記載内容情報の一部または全部を出力する処理と、
をコンピュータに実行させるためのコンピュータプログラム。
【発明の詳細な説明】
【技術分野】
【０００１】
本発明は、出版物および当該出版物を検索するための検索システムに関する。
【背景技術】
【０００２】
図書館のように多数の出版物を有する施設において利用者（ユーザ）が所望する出版物を検索するためのシステムとして、特許文献１、２に記載されるようなシステムが提案されている。
【０００３】
特許文献１に記載される電子保管システムによると、書籍の目次情報から抽出したキーワード、そのキーワードのあった頁の頁番号、およびその頁の記載内容を関連付けて記憶媒体に記憶させる。そして、読者の読みたい事項が書籍に含まれているか否かを、その書籍の記憶媒体をコンピュータ装置で検索することによって調べることができる。
【０００４】
特許文献２に記載される物品管理システムによると、本に、その本のタイトル、著者、出版社、および格納されているラックのナンバーなどを記憶させた無線タグを設けておく。そして、パソコンによって、無線タグに記憶されている情報を読み取り、読み取った情報に基づいて所望する本の検索を行う。
【０００５】
ところで、出版物が図書館などに置かれてから、内容を訂正するために出版物の一部分が差し換えられることがある。特に、医学書または学術論文集などのような専門書や多数の著者が分担して執筆した書物などは、一部分を差し換えたり、後からページを追加したりすることが多い。
【０００６】
しかし、この場合に、特許文献１、２に記載されるシステムによると、図書館の職員は、一部分を差し換えまたは追加する作業だけでなく、記憶媒体または無線タグに記憶されている情報を書き換える作業をも行わなければならず、非常に手間が掛かる。
【特許文献１】特開２０００−１４８７８４号公報
【特許文献２】特開２００３−７２９１９号公報
【発明の開示】
【発明が解決しようとする課題】
【０００７】
本発明は、このような問題点に鑑み、コンピュータによる検索が容易でありかつ記載内容の一部分を差し換えまたは追加する際の手間が掛からない出版物を提供することを目的とする。また、図書館の利用者などにとって、当該出版物の検索をより便利に行うことができるようにすることを目的とする。
【課題を解決するための手段】
【０００８】
本発明に係る出版物は、複数枚の紙片からなる出版物であって、当該出版物の書誌に関する書誌情報を記憶する第一のＩＣタグと、当該出版物の所定のまとまりごとに与えられた、当該所定のまとまりの記載内容に関する記載内容情報を記憶する第二のＩＣタグと、が付されてなることを特徴とする。
【０００９】
前記出版物の検索を行うために、検索条件を入力する入力手段と、前記出版物が前記検索条件を満たすか否かの判別を行う判別手段と、前記検索条件を満たすと判別された前記出版物の前記第一のＩＣタグに記憶されている前記書誌情報または当該出版物の前記第二のＩＣタグに記憶されている前記記載内容情報を取得する出版物情報取得手段と、取得された前記書誌情報または前記記載内容情報の一部または全部を出力する出力手段と、によって検索システムを構成する。
【００１０】
または、前記出版物の前記第一のＩＣタグに記憶されている前記書誌情報および当該出版物の前記第二のＩＣタグに記憶されている前記記載内容情報を取得する出版物情報取得手段と、取得された前記書誌情報および前記記載内容情報を記憶しておく記憶手段と、検索条件を入力する入力手段と、前記検索条件を満たす前記出版物を、前記記憶手段に記憶されている前記書誌情報または前記記載内容情報に基づいて検索する検索手段と、前記検索手段によって見つけられた前記出版物の前記書誌情報または前記記載内容情報の一部または全部を出力する出力手段と、によって検索システムを構成してもよい。
【００１１】
本発明において、印刷物の「所定のまとまり」とは、章、節、セクション、またはサブセクションなどといった意味のある文章のまとまり、または紙片（紙葉、シート、または用紙とも言う。）またはページなどといった物理的なまとまりを指す。
【発明の効果】
【００１２】
本発明によると、コンピュータによる検索が容易でありかつ記載内容の一部分を差し換えまたは追加する際の手間が従来よりも少ない出版物を提供することができる。
【発明を実施するための最良の形態】
【００１３】
〔第一の実施形態〕
図１は出版物検索システム１の全体的な構成の例を示す図、図２は出版物ＢＫの構成の例を示す図、図３はメインＩＣタグ４１およびサブＩＣタグ４２に記憶される情報の例を示す図、図４は収納スペースＴの構成の例を示す図、図５は端末装置３のハードウェア構成の例を示す図、図６は端末装置３の機能的構成の例を示す図、図７は出版物検索トップ画面ＨＧ１の例を示す図、図８は単語検索画面ＨＧ２の例を示す図、図９は登録単語一覧画面ＨＧ３の例を示す図、図１０は検索結果画面ＨＧ４の例を示す図、図１１は書誌情報画面ＨＧ５の例を示す図、図１２は文書閲覧画面ＨＧ６の例を示す図である。
【００１４】
図１に示すように、本発明に係る出版物検索システム１は、管理ラック２および端末装置３によって構成される。
【００１５】
管理ラック２には、１段または複数の段の、書籍を置くための受台が設けられている。これらの受台は、複数の収納スペースに区切られており、本、雑誌、論文集、学会誌、業界紙、冊子、辞書、または事典などの様々な出版物ＢＫが収納し管理するための本棚として用いられる。以下、１２個の収納スペースＴ１１〜Ｔ３４を有する管理ラック２を例に説明する。なお、これらの収納スペースＴ１１〜Ｔ３４を「収納スペースＴ」と総称することがある。出版物検索システム１は、例えば、学校または自治体などの図書館または書店などで使用される。管理ラック２は、図書館または書店などの中に複数設けることができる。以下、出版物検索システム１を図書館で使用する場合を例に説明する。
【００１６】
図２に示すように、出版物ＢＫは、文書または図表などが印刷された複数枚の紙片ＰＢ（紙葉、シート、用紙）が製本されてなる出版物本体ＢＫ０および複数個のＩＣタグ４によって構成される。
【００１７】
ＩＣタグ４は、出版物本体ＢＫ０の背表紙ＢＫａと各紙片ＰＢの綴じ代以外の端部ＢＫｂとに貼り付けられている。以下、背表紙ＢＫａのＩＣタグを「メインＩＣタグ４１」と記載し、紙片ＰＢの端部ＢＫｂのＩＣタグを「サブＩＣタグ４２」と記載することがある。紙片ＰＢの両面には、出版物ＢＫの記載内容の一部が印刷されている。つまり、１枚の紙片ＰＢは、出版物ＢＫの全ページのうちの２ページ分をなす。
【００１８】
ＩＣタグとは、アンテナおよびＩＣ（集積回路）からなるチップであって、ＩＣに情報を記憶することができ、さらに、所定の周波数の電磁波に共振して電磁誘導を生じさせることによって、記憶している情報を電磁波で発信しまたは記憶している情報を書き換えることができる。ＩＣタグは、ＲＦＩＤ（Radio Frequency Identification）タグまたはＩＣラベルなどと呼ばれることもある。ＩＣタグを出版物ＢＫの各部に貼り付ける（貼り込む）ために、例えば特開２００３−１１５４３号公報に記載されるような公知の方法が用いられる。また、本実施形態で用いられるＩＣタグは、所定の周波数の電磁波によって発光する発光体、例えば発光ダイオード（ＬＥＤ）、を有している。
【００１９】
メインＩＣタグ４１には、図３（ａ）に示すように、書誌情報８１、貸出し情報８２、およびＩＣタグを識別するためのタグＩＤなどが記憶されている。書誌情報８１には、その出版物ＢＫのタイトル（書籍名）、著者、発行日、発行者、出版社、ＩＳＢＮ（International Standard Book Number）、ジャンル、種類（例えば、一般書籍、雑誌、学会誌、辞書など）、当図書館における管理のための書籍番号、版数を示す版数コード、その出版物ＢＫが当図書館のものであることを示す認証コード、総ページ数、および全文字数などの書誌に関する情報が含まれている。貸出し情報８２には、これまでにその出版物ＢＫを貸し出した総数（延べ人数）および現在の貸出し状況などに関する情報が含まれている。貸出し情報８２の内容は、図書館内の貸出しカウンタなどに設置されているＩＣリードライタによってメインＩＣタグ４１に書き込まれる。
【００２０】
サブＩＣタグ４２には、図３（ｂ）に示すように、ページ属性情報８３、コンテンツ情報８４、およびタグＩＤなどが記憶されている。コンテンツ情報８４には、紙片ＰＢの両面（すなわち、２ページ）にそれぞれ記載（印刷）されている内容を示すテキストデータまたは画像データなどが含まれている。ページ属性情報８３には、その紙片ＰＢの属する出版物ＢＫの書籍番号、書籍名、版数コード、総ページ数、および全文字数ならびにその紙片ＰＢに印刷された各ページのページ番号および文字数または画像のサイズなどの情報が含まれている。
【００２１】
収納スペースＴは、図４に示すように、天板２１１、底板２１２、側板２１３、２１４、および背板２１５（以下、これらを「仕切り板２１」と総称する。）によって仕切られており、正面は開口している。各収納スペースＴには、中継用ユニット２２が１セットずつ設けられている。中継用ユニット２２は、アンテナ２２ａおよび通信制御装置２２ｂなどによって構成され、その収納スペースＴに収納されている出版物ＢＫのＩＣタグ４と端末装置３との間で送受信される情報の中継を行う。中継用ユニット２２には、他の収納スペースＴに設けられた中継用ユニット２２と区別するための中継地点ＩＤが付けられている。この中継地点ＩＤは、管理ラック２および収納スペースＴを識別するためにも用いられる。通信制御装置２２ｂは、ＩＣタグを読み取る機能およびアンテナ２２ａを制御する機能が備わっている。
【００２２】
中継用ユニット２２と他の収納スペースＴの出版物ＢＫのＩＣタグ４との間で通信が行われないようにするために、仕切り板２１として、遮蔽性の高い金属製の板または電磁波シールド材がコーティングされた板などが用いられる。
【００２３】
端末装置３は、所定の周波数帯の電磁波を発信しおよびＩＣタグまたはアンテナなどから発信される電磁波を受信する機能を有する装置であって、非接触式のリーダである。「ＩＣタグリーダ」などと呼ばれることもある。端末装置３の大きさはＰＤＡ（Personal Digital Assistant）と同じくらいである。よって、ユーザは、端末装置３を持ち運んでいつでもどこでも使用することができる。ただし、出版物ＢＫの検索を実行する際には、ＩＣタグ４および中継用ユニット２２のアンテナ２２ａとの通信が可能な範囲で使用しなければならない。
【００２４】
端末装置３は、図５に示すように、ＣＰＵ３ａ、ＲＡＭ３ｂ、ＲＯＭ３ｃ、キーボード３ｄ、液晶パネル３ｅ、無線インタフェース３ｆ、および記憶装置３ｇなどによって構成される。
【００２５】
液晶パネル３ｅとして、タッチセンサを備えたタッチパネルを用いてもよい。無線インタフェース３ｆは、ＩＣタグ４および中継用ユニット２２との間で無線による通信を行うためのインタフェースである。
【００２６】
記憶装置３ｇとして、磁気記憶装置（ハードディスク）またはフラッシュメモリなどが用いられる。記憶装置３ｇには、図６に示すような検索条件入力部３０１、条件一致問合せ部３０２、出版物情報取得部３０３、一致出版物判別部３０４、位置情報取得部３０５、および検索結果表示部３０６などの機能を実現するためのプログラムおよびデータがインストールされている。これらのプログラムまたはデータは必要に応じてＲＡＭ３ｂにロードされ、ＣＰＵ３ａによってプログラムが実行される。
【００２７】
以下、図６に示す端末装置３の各部、中継用ユニット２２、およびメインＩＣタグ４１、４２の機能および処理内容などについてさらに説明する。
【００２８】
検索条件入力部３０１は、ユーザが所望する出版物ＢＫを検索するための検索条件７１を入力する処理を、次のような手順で行う。まず、図７に示すような出版物検索トップ画面ＨＧ１を液晶パネル３ｅに表示する。ユーザは、出版物ＢＫのタイトル（書籍名）に基づいて検索を行いたいときは、キーボード３ｄを操作しまたは液晶パネル３ｅにタッチするなどして、ボタンＢＮ１１を選択する。著者名に基づいて検索を行いたいときはボタンＢＮ１２を選択する。発行日に基づいて検索を行いたいときはボタンＢＮ１３を選択する。指定した単語または短文（キーワード）が含まれる出版物ＢＫの検索を行いたいときはボタンＢＮ１４を選択する。
【００２９】
例えばボタンＢＮ１４が選択されると、検索条件入力部３０１は、次に、図８の単語検索画面ＨＧ２を表示する。ユーザは、検索のキーワードとする単語などをテキストボックスＴＸ２に入力し、検索ボタンＢＮ２２を選択する。これにより、テキストボックスＴＸ２に入力された内容が検索条件７１として入力される。
【００３０】
または、予め端末装置３に登録されている単語の中から検索のキーワードを指定することができる。この場合は、ユーザは、キーワードに指定したい単語の頭文字の属する行に対応するボタンＢＮ２１を選択すればよい。例えば、「モ」から始まる単語を指定したい場合は、「マ行」に対応するボタンＢＮ２１を選択すればよい。
【００３１】
すると、検索条件入力部３０１は、図９に示すような、「マ」〜「モ」から始まる単語の一覧を登録単語一覧画面ＨＧ３として表示する。ユーザは画面を上下にスクロールさせながら所望する単語を探し、その単語に対応する検索ボタンＢＮ３を選択する。これにより、選択されたその単語が検索条件７１として入力される。
【００３２】
タイトル、著者、または発行日についても、図８または図９に示す画面と同等の画面が用意されており、上に説明した単語（キーワード）の場合と同様にして検索条件７１が入力される。
【００３３】
図６に戻って、条件一致問合せ部３０２は、検索条件入力部３０１によって入力された検索条件７１を、ＩＣタグ４に対応した周波数で管理ラック２の正面に向けて問合せ情報７４として送信（発信）することにより、検索条件７１を満たす出版物ＢＫについての問合せを行う。
【００３４】
このとき、管理ラック２の各出版物ＢＫのメインＩＣタグ４１およびサブＩＣタグ４２は、検索条件７１（問合せ情報７４）の要件を満たす場合（例えば、ユーザが指定した単語が含まれている場合）は、自ら記憶している書誌情報８１、貸出し情報８２、ページ属性情報８３、またはコンテンツ情報８４などを発信する。また、このとき、内蔵されている発光体を発光させる。発信されたこれらの情報は、端末装置３において、出版物情報取得部３０３によって取得される。
【００３５】
一致出版物判別部３０４は、取得された書誌情報８１またはページ属性情報８３に基づいて、検索条件７１を満たす出版物ＢＫを判別する。すなわち、書誌情報８１またはページ属性情報８３に示されるタイトルの出版物ＢＫを検索条件７１を満たす出版物であると判別する。このようにして、ユーザの所望する出版物ＢＫが検索される。
【００３６】
位置情報取得部３０５は、検索条件７１を満たすと判別された出版物ＢＫがいずれの収納スペースＴに格納されているのかを示す位置情報８５を取得する。位置情報８５は、例えば、次のようにして取得することができる。
【００３７】
まず、その出版物ＢＫのタイトルを新たな検索条件７２として設定する。その検索条件７２を各中継用ユニット２２のアンテナ２２ａに対応した周波数で管理ラック２の正面に向けて送信（発信）する。すると、各中継用ユニット２２は、自分の収納スペースＴに収納されている各出版物ＢＫのメインＩＣタグ４１に対して、検索条件７２に示されるタイトルが含まれているか否かを問い合わせる。そのタイトルが含まれている場合は、その中継用ユニット２２の中継地点ＩＤを端末装置３に対して送信する。そして、この中継地点ＩＤまたは中継用ユニット２２のアンテナ２２ａから発信される電磁波の周波数に基づいて、出版物ＢＫが格納されている収納スペースＴを特定する。
【００３８】
または、メインＩＣタグ４１に、その出版物ＢＫが格納されている収納スペースＴの中継用ユニット２２の中継地点ＩＤを位置情報８５として記憶しておいてもよい。そして、書誌情報８１および貸出し情報８２を送信する際に、位置情報８５も一緒に送信すればよい。なお、この場合に、新しい位置情報８５をメインＩＣタグ４１に記憶しておくために、中継用ユニット２２は、定期的にまたはその出版物ＢＫが収納されたタイミングで、メインＩＣタグ４１に中継地点ＩＤを発信する。
【００３９】
検索結果表示部３０６は、一致出版物判別部３０４による判別結果および位置情報取得部３０５によって取得された位置情報８５に基づいて、検索条件７１を満たす出版物ＢＫのタイトルおよび収納位置の一覧を、図１０に示すような検索結果画面ＨＧ４として表示する。各出版物ＢＫのタイトルの右方には、詳細ボタンＢＮ４が１つずつ設けられている。
【００４０】
ユーザによっていずれかの詳細ボタンＢＮ４が選択されると、検索結果表示部３０６は、その詳細ボタンＢＮ４に対応する出版物ＢＫの書誌情報８１および貸出し情報８２に基づいて図１１に示すような書誌情報画面ＨＧ５を表示する。さらに、閲覧ボタンＢＮ５が選択されると、検索結果表示部３０６は、その出版物ＢＫが有する各紙片ＰＢのページ属性情報８３およびコンテンツ情報８４に基づいて、紙片ＰＢの各面（ページ）に記載されている文書または図表などの内容を図１２に示すような文書閲覧画面ＨＧ６として表示する。前ページボタンＢＮ６１または次ページボタンＢＮ６２が選択されると、前のページまたは次のページの内容を表示する。なお、書誌情報画面ＨＧ５および文書閲覧画面ＨＧ６を表示する際に、足りない書誌情報８１などの情報は、適宜、メインＩＣタグ４１またはサブＩＣタグ４２から取得する。
【００４１】
図１３は第一の実施形態における端末装置３の処理の流れの例を説明するフローチャートである。次に、出版物ＢＫの検索を行う際の端末装置３の処理の手順を、フローチャートを参照して説明する。
【００４２】
図１３に示すように、端末装置３は、出版物検索トップ画面ＨＧ１、単語検索画面ＨＧ２、または登録単語一覧画面ＨＧ３（図７、図８、図９参照）などの検索条件を指定するための画面を表示し（＃１１）、ユーザが指定した検索条件７１を取得する（＃１２）。
【００４３】
各出版物ＢＫのメインＩＣタグ４１およびサブＩＣタグ４２に対して検索条件７１を発信し、検索条件７１の要件を満たす情報を記憶しているメインＩＣタグ４１またはサブＩＣタグ４２に記憶されている書誌情報８１、貸出し情報８２、ページ属性情報８３、またはコンテンツ情報８４などを取得する（＃１３）。そして、取得された書誌情報８１またはページ属性情報８３に含まれるタイトル（書籍名）を判別し、検索結果を得る（＃１４）。
【００４４】
検索結果に示されるタイトルの格納場所を中継用ユニット２２に問い合わせ、位置情報８５を取得する（＃１５）。
【００４５】
取得されたこれらの情報に基づいて、図１０に示すような検索結果画面ＨＧ４を表示する（＃１６）。これにより、ユーザは、所望する出版物ＢＫを容易に見つけることができる。なお、それでも上手く出版物ＢＫを見つけられない場合は、端末装置３を操作してその出版物ＢＫを指定し、その出版物ＢＫに貼り付けられているメインＩＣタグ４１の発光体を発光するように指令を与えることができる（＃１７）。また、出版物ＢＫを入手した後、所望する記載が書かれたページが見つからない場合は、キーワードなどを端末装置３に指定し、そのページの書かれた紙片ＰＢのサブＩＣタグ４２の発光体を発光するように指令を与えることができる。
〔第二の実施形態〕
図１４は第二の実施形態における端末装置３の機能的構成を示す図である。第一の実施形態では、端末装置３は、出版物ＢＫのメインＩＣタグ４１およびサブＩＣタグ４２から直接、出版物ＢＫに関する一部の情報を取得した。第二の実施形態では、端末装置３は、中継用ユニット２２を介して出版物ＢＫに関するすべての情報を取得する。
【００４６】
本実施形態における出版物検索システム１の全体的な構成、管理ラック２の構成、出版物ＢＫの構成、および端末装置３のハードウェア構成は、図１、図４、図２、および図５に示す第一の実施形態における構成と同様である。ただし、端末装置３の記憶装置３ｇには、図１４に示す検索条件入力部３２１、条件一致問合せ部３２２、出版物情報取得部３２３、一致出版物判別部３２４、および検索結果表示部３２６を実現するためのプログラムおよびデータがインストールされている。以下、図１４に示す端末装置３の各部、中継用ユニット２２、メインＩＣタグ４１、およびサブＩＣタグ４２の機能および処理内容のうち、第一の実施形態と異なる点を中心に説明する。第一の実施形態と重複する点についての説明は省略する。
【００４７】
検索条件入力部３２１、一致出版物判別部３２４、および検索結果表示部３２６は、それぞれ、第一の実施形態で説明した図６の検索条件入力部３０１、一致出版物判別部３０４、および検索結果表示部３０６と同様の機能を有し同様の処理を実行する。
【００４８】
条件一致問合せ部３２２は、検索条件入力部３２１によって入力された検索条件７１を、各中継用ユニット２２のアンテナ２２ａに対応した周波数で管理ラック２の正面に向けて問合せ情報７４として送信（発信）することにより、検索条件７１を満たす出版物ＢＫについての問合せを行う。
【００４９】
各中継用ユニット２２は、自分の収納スペースＴに格納されている出版物ＢＫのメインＩＣタグ４１およびサブＩＣタグ４２に対してその検索条件７１を発信する。すると、第一の実施形態の場合と同様に、検索条件７１の要件を満たすメインＩＣタグ４１および４２は、自ら記憶している書誌情報８１、貸出し情報８２、ページ属性情報８３、またはコンテンツ情報８４を発信する。このとき、内蔵されている発光体が発光する。
【００５０】
発信されたこれらの情報は、中継用ユニット２２によって中継され、端末装置３の出版物情報取得部３２３で取得される。また、出版物情報取得部３２３は、発信元の中継用ユニット２２の中継地点ＩＤまたはその中継用ユニット２２から発信されてくる電磁波の周波数に基づいて、出版物ＢＫの位置情報８５を得ることができる。
【００５１】
図１５は第二の実施形態における端末装置３の処理の流れの例を説明するフローチャートである。次に、出版物ＢＫの検索を行う際の端末装置３の処理の手順を、フローチャートを参照して説明する。
【００５２】
図１５に示すように、端末装置３は、図７、図８、または図９などの検索条件を指定するための画面を表示し（＃２１）、ユーザが指定した検索条件７１を取得する（＃２２）。
【００５３】
図書館内の各中継用ユニット２２に対して順番にまたは一斉に検索条件７１を発信し、各中継用ユニット２２の設けられた収納スペースＴに格納されている出版物ＢＫの書誌情報８１などの情報を受信する（＃２３〜＃２６）。受信した情報に基づいて検索条件７１を満たす出版物ＢＫを判別し（＃２７）、その結果を図１０のような検索結果画面ＨＧ４として表示する（＃２８）。なお、ステップ＃２７の判別は、ステップ＃２５の後に順次行うようにしてもよい。
【００５４】
ユーザによる指示があった場合は、第一の実施形態の図１３のステップ＃１７と同様に、メインＩＣタグ４１またはサブＩＣタグ４２に対して発光体を発光するための指令を発信する（＃２９）。
【００５５】
第一または第二の実施形態では、出版物ＢＫのメインＩＣタグ４１およびサブＩＣタグ４２は、検索条件７１を満たす場合にのみ自分の記憶する情報を端末装置３に送信したが、検索条件７１を満たすか否かに関わらず端末装置３に情報を送信するようにしてもよい。この場合に、端末装置３は、メインＩＣタグ４１などから送信されてきた情報を所定の記憶領域に一旦格納し、これに基づいて検索条件７１に合う出版物ＢＫを検索する。
〔第三の実施形態〕
図１６は第三の実施形態に係る出版物検索システム１Ｃの全体的な構成の例を示す図、図１７は情報管理サーバ６の機能的構成の例を示す図である。
【００５６】
第一の実施形態および第二の実施形態では、検索を行うたびに出版物ＢＫのメインＩＣタグ４１およびサブＩＣタグ４２に対して検索条件７１を満たすか否かの問合せを行った。第三の実施形態では、情報管理サーバ６によって、出版物ＢＫの情報を一元管理し、検索の処理を行う。
【００５７】
図１６に示すように、第三の実施形態における出版物検索システム１Ｃは、管理ラック２、端末装置ＴＲ、ホストコンピュータ５、情報管理サーバ６、ＩＣリードライタ９０、および通信回線ＮＷ１、ＮＷ２などによって構成される。
【００５８】
ホストコンピュータ５と各端末装置ＴＲとは、通信回線ＮＷ２によって互いに接続されている。ホストコンピュータ５と情報管理サーバ６とは、通信回線ＮＷ１によって互いに接続されている。通信回線ＮＷ１、ＮＷ２として、インターネット、イントラネット、公衆回線、または専用線が用いられる。端末装置ＴＲとして、ワークステーション、パーソナルコンピュータ、ＰＤＡ、または携帯電話端末などが用いられる。
【００５９】
ホストコンピュータ５は、各端末装置ＴＲを管理するとともに、各端末装置ＴＲを代理して情報管理サーバ６に対して出版物ＢＫの検索処理などを要求する。情報管理サーバ６は、各管理ラック２に収納されている出版物ＢＫの書誌情報８１などの情報をデータベースで管理するとともに、ホストコンピュータ５からの要求に従って検索条件７１に合った出版物ＢＫの検索を行う。管理ラック２の構成は、第一の実施形態で説明した図１および図４に示すものと同様である。
【００６０】
情報管理サーバ６の磁気記憶装置には、図１７に示すような検索条件入力部６０１、出版物情報取得部６０２、出版物検索部６０４、検索結果送信部６０６、貸出し情報受信部６０７、および出版物情報データベース６０８などの機能を実現するためのプログラムおよびデータがインストールされている。これらのプログラムまたはデータは必要に応じてＲＡＭにロードされ、ＣＰＵによってプログラムが実行される。
【００６１】
以下、図１７に示す情報管理サーバ６の各部、ホストコンピュータ５、および端末装置ＴＲの機能または処理内容などについて説明する。ただし、第一の実施形態または第二の実施形態と同様の機能または処理内容などの説明は省略する。
【００６２】
端末装置ＴＲにおいて、表示部には、第一の実施形態などの端末装置３と同様に、出版物検索トップ画面ＨＧ１、単語検索画面ＨＧ２、または登録単語一覧画面ＨＧ３（図７、図８、図９参照）などが表示される。ユーザは、自分の端末装置ＴＲを操作して、検索のためのキーワードなどを指定する。指定された内容は、検索条件７１として、ホストコンピュータ５を介して情報管理サーバ６に送信される。これにより、情報管理サーバ６に対して出版物ＢＫの検索の要求がなされる。
【００６３】
情報管理サーバ６の出版物情報データベース６０８には、図書館内にある出版物ＢＫの書誌情報８１、貸出し情報８２、ページ属性情報８３、コンテンツ情報８４、および位置情報８５が記憶されている。これらの情報は、出版物情報取得部６０２が定期的に中継用ユニット２２を介して出版物ＢＫのメインＩＣタグ４１およびサブＩＣタグ４２の内容を読み取ることによって取得される。メインＩＣタグ４１およびサブＩＣタグ４２を読み取る処理は、例えば、定期的にまたは出版物ＢＫが収納スペースＴに収められたタイミングで行われる。
【００６４】
ただし、貸出し情報８２のうちの現在の貸出し状況に関する情報は、貸出し情報受信部６０７によって、図書館の貸出しカウンタなどに設置されているＩＣリードライタ９０から取得される。すなわち、貸出しカウンタでは、出版物ＢＫの貸出しまたは返却の手続を行うごとに、その出版物ＢＫのメインＩＣタグ４１に記憶されている現在の貸出し状況に関する情報をＩＣリードライタ９０によって書き換える。この際に、ＩＣリードライタ９０は、書き換えた後の係る情報を情報管理サーバ６に送信する。
【００６５】
また、メインＩＣタグ４１に示される認証コードがこの図書館で使用されるものでないときは、そのメインＩＣタグ４１およびサブＩＣタグ４２から送信されてきた情報を破棄し、出版物情報データベース６０８に登録しないようにする。
【００６６】
検索条件入力部６０１は、端末装置ＴＲからホストコンピュータ５を介して送信されてきた検索条件７１を入力する。出版物検索部６０４は、その検索条件７１を満たす出版物ＢＫを、出版物情報データベース６０８に格納されている各情報に基づいて検索する。検索結果送信部６０６は、出版物検索部６０４による検索結果を示す検索結果情報７３を、ホストコンピュータ５を介して検索の要求元の端末装置ＴＲに送信する。
【００６７】
検索結果情報７３を受信した端末装置ＴＲには、第一の実施形態などの端末装置３と同様に、図１１に示すような書誌情報画面ＨＧ５が表示される。そして、図１２に示す文書閲覧画面ＨＧ６によって所望する出版物ＢＫに記載されている内容を閲覧することができる。書誌情報画面ＨＧ５および文書閲覧画面ＨＧ６を表示するために必要な書誌情報８１などの情報は、適宜、情報管理サーバ６からホストコンピュータ５を介して端末装置ＴＲに送信される。
【００６８】
図１８は出版物ＢＫの情報を情報管理サーバ６に登録する際の中継用ユニット２２の処理の流れの例を説明するフローチャート、図１９は出版物ＢＫの情報を登録する際の情報管理サーバ６の処理の流れの例を説明するフローチャート、図２０は出版物ＢＫを検索する際のホストコンピュータ５の処理の流れの例を説明するフローチャート、図２１は出版物ＢＫを検索する際の情報管理サーバ６の処理の流れの例を説明するフローチャート、図２２は出版物ＢＫの一部が差し換えられた際の中継用ユニット２２の処理の流れの例を説明するフローチャート、図２３は出版物ＢＫの一部が差し換えられた際の情報管理サーバ６の処理の流れの例を説明するフローチャートである。
【００６９】
次に、出版物ＢＫに関する情報の一元管理および出版物ＢＫの検索を行う際の各装置における処理の手順を、フローチャートを参照して説明する。
【００７０】
情報管理サーバ６の出版物情報データベース６０８（図１７参照）に出版物ＢＫの情報を登録する場合は、次のような手順で処理が行われる。図１８に示すように、中継用ユニット２２は、収納スペースＴに収納されている出版物ＢＫのメインＩＣタグ４１の書誌情報８１を取得し（＃３１）、書誌情報８１に含まれる認証コードをチェックする（＃３２）。
【００７１】
認証コードがその図書館のものである場合は（＃３２でＹｅｓ）、さらにその出版物ＢＫの貸出し情報８２、ページ属性情報８３、およびコンテンツ情報８４などを取得し、必要な項目の情報が含まれているか否かを照合し（＃３３）、これらの情報を送信するためのファイルを生成する（＃３４）。そして、このファイルを情報管理サーバ６に送信する（＃３５）。
【００７２】
認証コードが含まれていない場合またはその図書館のものではない場合は（＃３２でＮｏ）、その出版物ＢＫに関する情報の送信は行わない。
【００７３】
各中継用ユニット２２は、それぞれの属する収納スペースＴに格納されている出版物ＢＫに対して、上記のステップ＃３１〜＃３５の処理を繰り返し実行する。
【００７４】
情報管理サーバ６は、図１９に示すように、中継用ユニット２２からのファイル（書誌情報８１などの情報）を受信するごとに（＃４１）、これに含まれる認証コードが正しいことをチェックし（＃４２でＹｅｓ）、受信したファイルを登録用のフォーマットに変換し（＃４３）、これを出版物情報データベース６０８に登録する（＃４４）。
【００７５】
出版物ＢＫの検索の処理は、次のような手順で行われる。ホストコンピュータ５は、図２０に示すように、端末装置ＴＲにおいて指定された検索条件７１を取得し（＃５１）、検索要求を受け付ける（＃５２）。その検索条件７１に基づいて要求受付ファイルを生成し（＃５３）、これを情報管理サーバ６に送信する（＃５４）。
【００７６】
すると、これを受信した情報管理サーバ６は、図２１に示すように、出版物情報データベース６０８に格納されている各出版物ＢＫの情報を参照しながら検索条件７１を満たす出版物ＢＫを検索する（＃６１、＃６２）。そして、その検索結果（検索結果情報７３）に基づいて検索結果ファイルを生成し（＃６３）、これをホストコンピュータ５に送信する（＃６４）。
【００７７】
図２０に戻って、ホストコンピュータ５は、情報管理サーバ６から送信されてきた検索結果ファイル（検索結果情報７３）を、検索を要求したユーザの端末装置ＴＲに送信する（＃５５）。これにより、端末装置ＴＲには、図１１に示すような書誌情報画面ＨＧ５が表示される。
【００７８】
出版物ＢＫが論文集や判例集などである場合は、収納スペースＴに収納した後に紙片ＰＢが差し換えられる場合がある。この場合は、次のような手順で出版物情報データベース６０８に格納されている情報の更新の処理が行われる。
【００７９】
ある管理ラック２の収納スペースＴに収納されている、ある出版物ＢＫの１枚の紙片ＰＢが、新しい記載内容の紙片ＰＢに差し換えられたとする。
【００８０】
すると、その収納スペースＴに設けられている中継用ユニット２２は、図２２に示すように、差し換えられた紙片ＰＢのサブＩＣタグ４２に記憶されているページ属性情報８３およびコンテンツ情報８４を受信し（＃７１）、そのページ属性情報８３に認証コードおよび版数コードが含まれているか否かのチェックを行う（＃７２、＃７３）。
【００８１】
認証コードおよび版数コードがあることを確認したら（＃７２でＹｅｓかつ＃７３でＹｅｓ）、これらのページ属性情報８３およびコンテンツ情報８４に必要な項目の情報が含まれているか否かを照合し（＃７４）、これらの情報を送信するための更新用ファイルを生成する（＃７５）。そして、この更新用ファイルを情報管理サーバ６に送信する（＃７６）。
【００８２】
図２３に示すように、情報管理サーバ６は、更新用ファイルを受信すると（＃８１）、認証コードおよび版数コードがあることを必要に応じてチェックする（＃８２でＹｅｓかつ＃８３でＹｅｓ）。出版物情報データベース６０８の中から差換えの対象となる古い紙片ＰＢの情報を検出する（＃８４）。そして、古い紙片ＰＢの版数コードと新しい紙片ＰＢとを比較し、前者の値が後者の値よりも小さい（すなわち古い）場合は、正しく差し換えられたものと判別し（＃８５でＹｅｓ）、ステップ＃８６以降の処理を行う。そうでない場合は（＃８５でＮｏ）、誤って差し換えられたおそれがあるので、ステップ＃８６以降の処理を中止する。この場合は、図書館の職員などにその旨を通知する。
【００８３】
版数コードが正しい場合は（＃８５でＹｅｓ）、受信した更新用ファイルに必要な項目の情報が含まれているか否かを照合し（＃８６）、更新用ファイルに示される新しい情報を所定のフォーマットに変換し（＃８７）、古い紙片ＰＢの情報と置き換えて出版物情報データベース６０８に登録する（＃８８）。古い紙片ＰＢの情報は削除する。
【００８４】
なお、紙片ＰＢを差し換えるのではなく、紙片ＰＢを新たに追加するだけの場合は、図２３において新旧の版数コードの比較（＃８５）を行うことなく、その紙片ＰＢに関する情報を出版物情報データベース６０８に登録する。
【００８５】
第一ないし第三の実施形態によると、ユーザの所望する出版物ＢＫのタイトルおよび収納場所を容易に検索することができる。特に、医学書または医療書などのように難解な用語が数多く記載される出版物ＢＫを、その分野に携わらない人が所望する場合であっても、効率的にその出版物ＢＫを検索することができる。また、図書館の職員にとって、出版物ＢＫの一部分を差し換えまたは追加する際の作業の手間が従来よりも少なくなる。
【００８６】
第一および第二の実施形態によると、管理ラック２に収納された出版物ＢＫのメインＩＣタグ４１およびサブＩＣタグ４２の集合を１つのデータベースとして使用することができる。よって、出版物ＢＫの一部分が差し換えられまたは追加された場合であっても、直ちに新しい記載内容に基づいてユーザの所望する出版物ＢＫの検索を行うことができる。
【００８７】
第三の実施形態によると、出版物ＢＫに関する情報を情報管理サーバ６で一元管理することができる。よって、多数のユーザが検索を行う場合であっても、データのやり取りを効率的に行い、通信のトラフィックを軽減することができる。
【００８８】
第一ないし第三の実施形態では、１枚の紙片ＰＢ（紙葉、シート、用紙）ごとにサブＩＣタグ４２を設けたが、１つの章または節（セクションまたはサブセクション）などの、記載内容の大きな区切りごとに、サブＩＣタグ４２を設けてもよい。または、紙片ＰＢの各面ごとすなわち１ページごとにサブＩＣタグ４２を設けてもよい。メインＩＣタグ４１を表紙、裏表紙、目次、または索引などに設けてもよい。
【００８９】
第三の実施形態において、情報管理サーバ６（図１６参照）および管理ラック２を複数の図書館に設置してもよい。そして、ホストコンピュータ５は、各情報管理サーバ６に検索条件７１を送信して検索の依頼を行う。これにより、どの図書館に所望する出版物ＢＫがあるのかを遠隔地より検索することができる。
【００９０】
管理ラック２に検索用のコンピュータ（ピックアップユニット）を設けてもよい。これにより、端末装置３を携帯しないユーザも、管理ラック２のすぐ傍で出版物ＢＫを検索することができる。
【００９１】
貸出し情報８２に、貸出し履歴または返却予定日などを示す情報を含ませてもよい。収納スペースＴの前面にそれぞれＬＥＤなどの発光体を設け、検索条件７１を満たす出版物ＢＫがあった場合にＬＥＤを発光させるようにしてもよい。検索結果を音声によって出力してもよいし、用紙に印刷し、印刷物として出力してもよい。
【００９２】
第一ないし第三の実施形態において、中継ユニット２２にて、差し換えられた紙片ＰＢのサブＩＣタグ４２を検知した際に、その紙片ＰＢに対応するメインＩＣタグ４１に対して、サブＩＣタグ４２に含まれる版数情報を送信して、メインＩＣタグ４１に含まれる版数情報を更新するように構成してもよい。この際に、中継ユニット２２は、更新前のメインＩＣタグ４１の版数情報を受信し、これをサブＩＣタグ４２の版数情報と比較し、前者の版数が後者の版数よりもが低い（小さい、古い）などの不整合が発生していないかを判断する。そして、不整合が発生しており更新が不適切であると考えられる場合は、メインＩＣタグ４１への版数情報の書き込み（更新）を行わないようにするのが望ましい。これにより、紙片ＰＢの差し換えを行うだけで、出版物ＢＫの版数情報を更新することが可能となり、配架されている出版物ＢＫを常に最新の状態で検索を行うことができる。
【００９３】
また、第三の実施形態では、紙片ＰＢが差し換えられた際の版数の整合性をホストコンピュータ５が行ったが（図２３参照）、上記のように中継ユニット２２で行うようにしてもよい。この場合に、中継ユニットは、整合性があることが確認された場合にのみメインＩＣタグ４１またはサブＩＣタグ４２の情報をホストコンピュータ５に送信する。これにより、出版物情報データベース６０８に登録する際のホストコンピュータ５における処理を低減することができる。
【００９４】
また、第一ないし第三の実施形態において、中継ユニット２２を管理ラック２以外の箇所にも設置しておき、これらの中継ユニット２２でメインＩＣタグ４１またはサブＩＣタグ４２を検知した場合に、検知した中継ユニット２２の設置箇所を識別する情報とともに、検知されたメインＩＣタグ４１またはサブＩＣタグ４２の情報を端末装置またはホストコンピュータ５に送信するように構成してもよい。そうすると、出版物ＢＫや紙片ＰＢが所定の配架場所（収納スペースＴ）にあってもそれ以外のところにあっても、その所在を容易に確認することが可能となる。
【００９５】
また、第一ないし第三の実施形態において、出版物ＢＫの所定の配架場所（収納スペースＴ）をメインＩＣタグ４１に記憶させておき、出版物の返却場所の誤りを知らせるようにしてもよい。すなわち、管理ラック２に出版物が返却された際に、中継ユニット２２は、返却された出版物のメインＩＣタグ４１の内容を受信し、メインＩＣタグ４１に記憶されている所定の配架場所を参照する。そして、その中継ユニット２２自身の設置場所と参照した配架場所とが異なる場合には、管理ラック２または出版物ＢＫに設けられたＬＥＤなどの発光体を点灯させるなどして、返却場所が異なることを報知するように構成してもよい。
【００９６】
その他、出版物検索システム１、１Ｃ、管理ラック２、端末装置３、情報管理サーバ６、収納スペースＴ、メインＩＣタグ４１、サブＩＣタグ４２、出版物ＢＫの全体または各部の構成、検索方法、処理内容、処理順序などは、本発明の趣旨に沿って適宜変更することができる。
（付記１）複数枚の紙片からなる出版物であって、
当該出版物の書誌に関する書誌情報を記憶する第一のＩＣタグと、
当該出版物の所定のまとまりごとに与えられた、当該所定のまとまりの記載内容に関する記載内容情報を記憶する第二のＩＣタグと、
が付されてなることを特徴とする出版物。
（付記２）前記第二のＩＣタグは、それぞれに対応する前記所定のまとまりの記載内容が印刷されたいずれかの紙片の綴じ代以外の端部に付されている、
付記１記載の出版物。
（付記３）付記１または付記２に記載の出版物の検索を行う検索システムであって、
検索条件を入力する入力手段と、
前記出版物が前記検索条件を満たすか否かの判別を行う判別手段と、
前記検索条件を満たすと判別された前記出版物の前記第一のＩＣタグに記憶されている前記書誌情報または当該出版物の前記第二のＩＣタグに記憶されている前記記載内容情報を取得する出版物情報取得手段と、
取得された前記書誌情報または前記記載内容情報の一部または全部を出力する出力手段と、
を有することを特徴とする検索システム。
（付記４）前記第一のＩＣタグまたは前記第二のＩＣタグに対して前記判別条件に関する問合せのための問合せ情報を発信する問合せ手段を有し、
前記判別手段は、前記問合せ情報に基づいて前記第一のＩＣタグまたは前記第二のＩＣタグから発信される情報に基づいて前記判別を行う、
付記３記載の検索システム。
（付記５）付記１または付記２に記載の出版物の検索を行う検索システムであって、
前記出版物を収納する収納スペースおよび端末装置によって構成され、
前記収納スペースには、
前記端末装置から発信された情報を前記出版物の前記第一のＩＣタグまたは前記第二のＩＣタグに中継する処理と、前記出版物の前記第一のＩＣタグまたは前記第二のＩＣタグから発信された情報を前記端末装置に中継する処理と、を行う中継手段が設けられ、
前記端末装置には、
検索条件を入力する入力手段と、
入力された前記検索条件を前記中継手段に対して発信する検索条件発信手段と、
発信された前記検索条件を満たす前記出版物の前記第一のＩＣタグに記憶されている前記書誌情報または当該出版物の前記第二のＩＣタグに記憶されている前記記載内容情報を取得する出版物情報取得手段と、
取得された前記書誌情報または前記記載内容情報の一部または全部を出力する出力手段と、が設けられ、
ていることを特徴とする検索システム。
（付記６）付記１または付記２に記載の出版物の検索を行う検索システムであって、
前記出版物の前記第一のＩＣタグに記憶されている前記書誌情報および当該出版物の前記第二のＩＣタグに記憶されている前記記載内容情報を取得する出版物情報取得手段と、
取得された前記書誌情報および前記記載内容情報を記憶しておく記憶手段と、
検索条件を入力する入力手段と、
前記検索条件を満たす前記出版物を、前記記憶手段に記憶されている前記書誌情報または前記記載内容情報に基づいて検索する検索手段と、
前記検索手段によって見つけられた前記出版物の前記書誌情報または前記記載内容情報の一部または全部を出力する出力手段と、
を有することを特徴とする検索システム。
（付記７）前記出版物の前記所定のまとまりの紙片が新たな前記所定のまとまりの紙片に差し換えられた場合に、
前記出版物情報取得手段は、当該新たな前記所定のまとまりに与えられた前記第二のＩＣタグに記憶されている前記記載内容情報を取得し、
前記記憶手段は、取得された新たな前記記載内容情報を、差し換えられる前の前記所定のまとまりの前記記載内容情報と置き換えて記憶する、
付記６記載の検索システム。
（付記８）付記１または付記２に記載の出版物の検索を行う検索システムであって、
前記出版物を収納する複数の収納スペースおよび端末装置によって構成され、
前記収納スペースには、
前記端末装置から発信された情報を、当該収納スペースに収納されている前記出版物の前記第一のＩＣタグまたは前記第二のＩＣタグに中継する処理と、当該出版物の前記第一のＩＣタグまたは前記第二のＩＣタグから発信された情報を前記端末装置に中継する処理と、を行う中継手段が設けられ、
前記端末装置には、
検索条件を入力する入力手段と、
入力された前記検索条件を前記中継手段に対して発信する検索条件発信手段と、
発信された前記検索条件を満たす前記出版物の前記第一のＩＣタグ記憶されている前記書誌情報または当該出版物の前記第二のＩＣタグに記憶されている前記記載内容情報を取得する出版物情報取得手段と、
取得された前記出版物の前記書誌情報または前記記載内容情報がいずれの前記中継手段から発信されたのかを検知することによって、当該出版物がいずれの前記収納スペースに格納されているのかを判別する収納場所判別手段と、
前記検索条件を満たすと判別された前記出版物の前記書誌情報または前記記載内容情報の一部または全部および当該出版物の格納場所を示す情報を出力する出力手段と、
を有することを特徴とする検索システム。
（付記９）付記１または付記２に記載の出版物の検索を行うコンピュータに用いられるコンピュータプログラムであって、
検索条件を入力する処理と、
前記出版物が前記検索条件を満たすか否かの判別を行う処理と、
前記検索条件を満たすと判別された前記出版物の前記第一のＩＣタグに記憶されている前記書誌情報または当該出版物の前記第二のＩＣタグに記憶されている前記記載内容情報を取得する処理と、
取得された前記書誌情報または前記記載内容情報の一部または全部を出力する処理と、
をコンピュータに実行させるためのコンピュータプログラム。
【産業上の利用可能性】
【００９７】
本発明は、特に図書館または書店などの蔵書を管理するために好適に用いられる。例えば、所望する出版物の検索を簡単に行うことができる。また、記憶媒体としてＩＣタグを使用しているので、単に情報を記憶させておくだけでなく、不正な持ち出しや盗難などを防止することもできる。
【図面の簡単な説明】
【００９８】
【図１】出版物検索システムの全体的な構成の例を示す図である。
【図２】出版物の構成の例を示す図である。
【図３】メインＩＣタグおよびサブＩＣタグに記憶される情報の例を示す図である。
【図４】収納スペースの構成の例を示す図である。
【図５】端末装置のハードウェア構成の例を示す図である。
【図６】端末装置の機能的構成の例を示す図である。
【図７】出版物検索トップ画面の例を示す図である。
【図８】単語検索画面の例を示す図である。
【図９】登録単語一覧画面の例を示す図である。
【図１０】検索結果画面の例を示す図である。
【図１１】書誌情報画面の例を示す図である。
【図１２】文書閲覧画面の例を示す図である。
【図１３】第一の実施形態における端末装置の処理の流れの例を説明するフローチャートである。
【図１４】第二の実施形態における端末装置の機能的構成を示す図である。
【図１５】第二の実施形態における端末装置の処理の流れの例を説明するフローチャートである。
【図１６】第三の実施形態に係る出版物検索システムの全体的な構成の例を示す図である。
【図１７】情報管理サーバの機能的構成の例を示す図である。
【図１８】出版物の情報を情報管理サーバに登録する際の中継用ユニットの処理の流れの例を説明するフローチャートである。
【図１９】出版物の情報を登録する際の情報管理サーバの処理の流れの例を説明するフローチャートである。
【図２０】出版物を検索する際のホストコンピュータの処理の流れの例を説明するフローチャートである。
【図２１】出版物を検索する際の情報管理サーバの処理の流れの例を説明するフローチャートである。
【図２２】出版物の一部が差し換えられた際の中継用ユニットの処理の流れの例を説明するフローチャートである。
【図２３】出版物の一部が差し換えられた際の情報管理サーバの処理の流れの例を説明するフローチャートである。
【符号の説明】
【００９９】
１、１Ｃ  出版物検索システム（検索システム）
３  端末装置
２２  中継用ユニット（中継手段）
４１  メインＩＣタグ（第一のＩＣタグ）
４２  サブＩＣタグ（第二のＩＣタグ）
８１  書誌情報
８４  コンテンツ情報（記載内容情報）
３０１、３２１、６０１  検索条件入力部（入力手段）
３０３、３２３  出版物情報取得部（出版物情報取得手段）
３０４、３２４  一致出版物判別部（判別手段）
３０６、３２６  検索結果表示部（出力手段）
３２２  条件一致問合せ部（検索条件発信手段）
６０４  出版物検索部（検索手段）
６０６  検索結果送信部（出力手段）
６０８  出版物情報データベース（記憶手段）
ＢＫ  出版物
ＰＢ  紙片
Ｔ  収納スペース
【図１】
2005132576.tif 000003
【図２】
2005132576.tif 000004
【図３】
2005132576.tif 000005
【図４】
2005132576.tif 000006
【図５】
2005132576.tif 000007
【図６】
2005132576.tif 000008
【図７】
2005132576.tif 000009
【図８】
2005132576.tif 000010
【図９】
2005132576.tif 000011
【図１０】
2005132576.tif 000012
【図１１】
2005132576.tif 000013
【図１２】
2005132576.tif 000014
【図１３】
2005132576.tif 000015
【図１４】
2005132576.tif 000016
【図１５】
2005132576.tif 000017
【図１６】
2005132576.tif 000018
【図１７】
2005132576.tif 000019
【図１８】
2005132576.tif 000020
【図１９】
2005132576.tif 000021
【図２０】
2005132576.tif 000022
【図２１】
2005132576.tif 000023
【図２２】
2005132576.tif 000024
【図２３】
2005132576.tif 000025